(57)【要約】      （修正有）【課題】相手側コネクタが被係止部に係止した係止部材を保護する突出片の強度を高める。【解決手段】雌コネクタと雄コネクタとは、雌コネクタが備えるロックアームの係止孔で、雄コネクタが右面に備えるロック部４３を係止して、互いが装着される。雄コネクタが備えるフード部４２の右面には、ロックアームの保護のための保護リブ４４が設けられている。また、フード部４２の左面には、ガイドリブ４５が設けられている。フード部４２の上下及び左右の４つの角部は、丸みを帯びて円弧状の背面形状を有している。保護リブ４４の基端は、フード部４２の角部の上面側の縁部から右面側にかけて、フード部４２の角部が形成する円弧面に沿って延びている。【選択図】図４
2010086858.tif 000002
【特許請求の範囲】
【請求項１】
相手側コネクタが備える係止部材に係止される被係止部と、
前記被係止部を係止した前記係止部材を互いで挟み込むように、前記被係止部の形成面の丸みを帯びた一対の角部に配置された一対の突出片とを備え、
各前記突出片は、前記形成面とで前記角部を形成する一面に沿ってそれぞれ延びて、基端部を前記角部の前記一面側の端部に位置させていることを特徴とするコネクタ。
【請求項２】
前記突出片は、前記基端部を位置させた前記一面側の主面を、前記一面と面一にして構成されていることを特徴とする請求項１に記載のコネクタ。
【発明の詳細な説明】
【技術分野】
【０００１】
本発明は、相手側コネクタが被係止部に係止した係止部材を保護する突出片を備えたコネクタに関する。
【背景技術】
【０００２】
下記の特許文献１に記載のコネクタは、雌側ハウジングの外周面にロックアームを備えている。雌側ハウジングの略前半領域を包囲する筒状嵌合部には、ロックアームを左右両側から挟み込む位置に、一対の保護壁が形成されている。雄側ハウジングは、雌側ハウジングと筒状嵌合部との間にフード部を嵌入されて、雌側ハウジングに装着される。雄側ハウジングは、雌側ハウジングへの正規装着時に、ロックアームと保護壁との隙間に進入する一対のリブ状突部を備えている。
【０００３】
【特許文献１】特開２００６−２４４３５号公報
【発明の開示】
【発明が解決しようとする課題】
【０００４】
上記の特許文献１に記載のコネクタでは、保護壁の内側面にリブ状突部の外側面を当接させることで、フード部と筒状嵌合部の周方向への相対変位が規制される。この種のリブには、大きな外力に耐えられる強度が求められる。
【０００５】
本発明は斯かる課題に鑑みてなされたもので、上記課題を解決できるコネクタを提供することを目的とする。
【課題を解決するための手段】
【０００６】
このような目的を達成するために、本発明のコネクタ装着構造は、相手側コネクタが備える係止部材に係止される被係止部と、前記被係止部を係止した前記係止部材を互いで挟み込むように、前記被係止部の形成面の丸みを帯びた一対の角部に配置された一対の突出片とを備え、各前記突出片が、前記形成面とで前記角部を形成する一面に沿ってそれぞれ延びて、基端部を前記角部の前記一面側の端部に位置させていることを特徴とする。
また、本発明は、前記突出片が、前記基端部を位置させた前記一面側の主面を、前記一面と面一にして構成されていることを特徴とする。
【発明の効果】
【０００７】
本発明によれば、被係止部の形成面の丸みを帯びた角部から、形成面とで角部を形成する一面に沿って延びた突出片が、基端部を角部の一面側の端部に位置させていることから、突出片の強度を高めることができる。
【発明を実施するための最良の形態】
【０００８】
以下、図面を参照して、本発明の最良の形態を説明する。
図１は本実施形態のコネクタ装置の構成の概略を示す前方からの分解斜視図である。図２はコネクタ装置が備える雌コネクタ１の構成の概略を示す正面図である。図３はコネクタ装置が備える雄コネクタ４の構成の概略を示す後方からの斜視図である。なお、以下の説明で用いる上下，前後，及び左右の各方向は説明に用いる各図に示している。この上下，前後，及び左右は説明のために記載したもので、実際の配置と異なってよいことはもちろんである。
【０００９】
図１に示すように、コネクタ装置は、バスバー端子３を備えた雄コネクタ４を、シール部材２を介して雌コネクタ１に装着して構成されている。雌コネクタ１は、端子キャビティ１３を備えて略四角ブロック状を呈した本体１１と、本体１１の前後方向の中央部から端子キャビティ１３の上下及び左右の周囲を囲むようにして略四角筒状を呈して前方に延びたフード部１２と、フード部１２の右側面の前縁から後方に延びた一対のスリット１４と、両スリット１４間に形成されたロックアーム１５とを備えている。
【００１０】
端子キャビティ１３には、後端開口部から端子５が挿入される。各スリット１４は、フード部１２の右側面の上縁部及び下縁部に沿って互いに平行に延びており、フード部１２の右側壁を左右方向に貫通している。ロックアーム１５は、両スリット１４間に位置するフード部１２の右側壁に、フード部１２の右側壁の後縁から前方に延びるスリット状の係止孔１５ａを設けて構成されている。係止孔１５ａは、両スリット１４の上下方向の中間部に位置して、両スリット１４と平行にロックアーム１５の先端部１５１まで延びて、フード部１２の右側壁を左右方向に貫通している。
【００１１】
シール部材２は、雌コネクタ１が備える端子キャビティ１３の外径とほぼ等しい内径を有した略四角環状を呈しており、フード部１２と端子キャビティ１３との間隙から構成される収容溝１６に収容されて端子キャビティ１３に外嵌される。図２に示すように、収容溝１６は、略四角環状の正面形状を有しており、右上及び右下の角部の外側面を端子キャビティ１３の外形に沿わせて円弧状に緩やかに湾曲させ、左上及び左下の角部の外側面を略直角に屈曲させている。
【００１２】
図１及び図３に示すように、雄コネクタ４は、バスバー端子３を装着される被着部４１ａを後端側に備えた本体４１と、本体４１の前端部から被着部４１ａの上下及び左右の周囲を囲むように後方に延び、略四角筒状を呈したフード部４２と、フード部４２の右側面の中央部に突設されたロック部４３と、ロック部４３を間に挟んでフード部４２の右側面の上縁及び下縁に突設された一対の保護リブ４４と、フード部４２の左側面の上縁及び下縁に突設された一対のガイドリブ４５とを備えている。
【００１３】
ロック部４３は、略四角ブロック状を呈しており、後端面がフード部４２の左側から右側にかけて前方に向けて傾斜している。保護リブ４４は、フード部４２の右側面の上縁及び下縁に沿って、平板状を呈して前後方向に延びており、フード部４２の前後方向の中央部に位置している。ガイドリブ４５は、フード部４２の左側面の上縁及び下縁に沿って、平板状を呈して前後方向に延びており、フード部４２の前端から後端にかけて配置されている。ガイドリブ４５の左端面は、フード部４２の左側面とほぼ同じ左右位置に位置している。
【００１４】
図４は、雄コネクタ４を示す図であり、（ａ）は背面図，（ｂ）は（ａ）の枠Ｂ内の拡大図である。図４に示すように、フード部４２の左上，左下，右上，右下の４つの角部は、丸みを帯びて円弧状の背面形状を有している。フード部４２の右上角部の上面側の縁部から右面側にかけてには、上側の保護リブ４４の基端が、上記角部の形成する円弧面に沿って延びている。上側の保護リブ４４は、その上面をフード部４２の上面と面一にしている。フード部４２の右下角部の下面側の縁部から右面側にかけてには、下側の保護リブ４４の基端が、上記角部の形成する円弧面に沿って延びている。下側の保護リブ４４は、その下面をフード部４２の下面と面一にしている。両保護リブ４４の右端面は、ロック部４３の右端面とほぼ同じ左右位置に位置している。
【００１５】
図５は、雄コネクタ４と雌コネクタ１とが装着された状態を示す前方からの斜視図である。
【００１６】
本体４１にバスバー端子３を取り付けられた雄コネクタ４は、端子キャビティ１３にシール部材２を外嵌された雌コネクタ１のスリット１４に保護リブ４４を向かい合わせた状態で、挿入溝１６にフード部４２を挿入することで、図５に示すように雌コネクタ１に装着される。雌コネクタ１と雄コネクタ４とが装着されると、端子キャビティ１３内の端子５とバスバー端子３とが接続される。雌コネクタ１に装着された雄コネクタ４は、ロックアーム１５を両保護リブ４４間に収容して、ロック部４３をロックアーム１５の係止孔１５ａ内に位置させている。
【００１７】
雄コネクタ４の各ガイドリブ４５は、収容溝１６の左上及び左下の各角部に収納されている。また、図示しないが、雌コネクタ１の端子キャビティ１３と雄コネクタ４のフード部４２との間にシール部材２が介装されて、雌コネクタ１と雄コネクタ４との間がシールされている。
【００１８】
また、ガイドリブ４５の左端面がフード部４２の左側面とほぼ同じ左右位置まで延出しているのに対し、保護リブ４４の右端面がフード部４２の右側面よりも右方に延びていることから、ガイドリブ４５をスリット１４とに向かい合わせて、保護リブ４４の形成位置までフード部４２が挿入溝１６に挿入されると、保護リブ４４の後縁がフード部１２の前縁と当接して、雄コネクタ４の雌コネクタ１側への移動が規制される。これにより、雌コネクタ１に対する雄コネクタ４の逆挿入の防止が図られる。
【００１９】
本実施形態によれば、フード部４２から側方に突出した保護リブ４４が、フード部４２の右上角部の上面側の縁部、及び、右下角部の下面側の縁部に基端部を位置させて、上面又は下面に沿って延びており、基端部を位置させた上面又は下面側の主面を、上面又は下面と面一にして構成されていることから、保護リブ４４の強度を高めることができる。また、保護リブ４４の強度を高めることで、雌コネクタ１のフード部１２と当接して雄コネクタ４の逆挿入を防止する際の保護リブ４４の損傷を防止できる。
【００２０】
つまり、フード部４２の右上角部から上面に沿って延びた保護リブ４４が、右上角部の上面側の縁部に基端部を位置させて、主面を上面と面一にしている本実施形態の保護リブ４４では、図４（ｂ）に拡大して示すように、右上角部の上面側の縁部から右面側にかけてのＬ２の範囲で基端部が延びている。これに対し、図６に示すように、フード部４２０の右上角部から上面に沿って延びた保護リブ４４０が、右上角部の右面側の端部に基端部を位置させた従来の保護リブ４４０では、図６（ｂ）に拡大して示すように、右上角部の右面側の縁部から上面側にかけてのＬ１の範囲で基端部が延びている。
【００２１】
右面視での上下方向の単位長さ当たりの右上角部の外周面の長さは、右上角部の右面側から上面側にかけて徐々に長くなる。このため、保護リブ４４と保護リブ４４０とで基端部の上下方向の厚さ（右面視での上下方向の長さ）が同じだとしても、右上角部の周方向に沿った基端部の長さＬ２の方が、Ｌ１より長くなる。このため、保護リブ４４０に比べて保護リブ４４の基端部を肉厚にして、保護リブ４４の強度を高めることができる。なお、フード部４２の右下角部の保護リブ４４も、右上角部の保護リブ４４と同様の理由で、強度を高めることができる。
【００２２】
上記実施形態では、ロック部４３及び保護リブ４４が雄コネクタ４の右面に形成されている場合について説明した。しかしながら、保護リブ４４は、ロック部４３の形成面であるのならば、上面又は下面に形成されていてもよい。また、左右の両面に形成されていてもよい。この場合、左右の保護リブ４４の厚さや形成位置を異ならせることで、逆挿入の防止を図ってもよい。
【００２３】
各保護リブ４４は、フード部４２の角部の上面又は下面側の端部に基端部を位置させて上面又は下面に沿って延びているのであれば、必ずしもフード部４２の上面又は下面と、その上面又は下面とを面一にしている必要はなく、例えば、保護リブ４４の上面又は下面とフード部４２の上面又は下面との間に段差が設けられていてもよい。また、保護リブ４４の形成位置は、雄コネクタ４のフード部４２の角部である必要はなく、本体４１が丸みを帯びた角部と、被係止部とを備えているのであれば、本体４１に形成してもよい。
【図面の簡単な説明】
【００２４】
【図１】本発明の一実施形態のコネクタ装置の構成の概略を示す前方からの分解斜視図である。
【図２】コネクタ装置が備える雌コネクタの構成の概略を示す後方からの斜視図である。
【図３】コネクタ装置が備える雄コネクタの構成の概略を示す後方からの斜視図である。
【図４】図３に示す雄コネクタの背面図である。
【図５】雄コネクタと雌コネクタとが装着された状態を示す前方からの斜視図である。
【図６】従来のコネクタ装置が備える雄コネクタの背面図である。
【符号の説明】
【００２５】
１  雌コネクタ
１１  本体
１２  フード部
１３  端子キャビティ
１４  スリット
１５  ロックアーム
１５ａ  係止孔
１６  収容溝
２  シール部材
３  バスバー端子
４  雄コネクタ
４１  本体
４２  フード部
４３  ロック部
４４  保護リブ
４５  ガイドリブ
【図１】
2010086858.tif 000003
【図２】
2010086858.tif 000004
【図３】
2010086858.tif 000005
【図４】
2010086858.tif 000006
【図５】
2010086858.tif 000007
【図６】
2010086858.tif 000008